(57)【特許請求の範囲】
【請求項１】
外装構造を支持する部材を水下側へ長く延出した上部支持部材の裏面側に、少なくともその表面側又は裏面側の何れか一方に化粧材を支持する軒天支持部材を反り返るように湾曲させて取り付けると共に、該軒天支持部材の先端が、前記上部支持部材の軒先端より延出状に連結されていることを特徴とする建築物の軒先構造。
【請求項２】
軒天支持部材は、軒先に向かって上り傾斜状に配置され、外装構造を支持する部材を水下側へ長く延出した上部支持部材と前記軒天支持部材との先端で凹状部を構成し、該凹状部に非透水性材を配して排水部を形成したことを特徴とする請求項１に記載の建築物の軒先構造。
【発明の詳細な説明】
【技術分野】
【０００１】
本発明は、軒先における意匠性及び汎用性を向上し、更に施工作業を迅速に容易く行なえ、しかも軒天井等の化粧まで仕上げることが可能な建築物の軒先構造に関する。
【背景技術】
【０００２】
建築物の軒先は、躯体や下地材等を覆うように形成され、その施工方法及び構造としては、特許文献１に記載されるように、屋根の下地材等を覆う部材（唐草と称される）を用いるものや、さらに特許文献２に記載の軒先唐草のように、幕板、水切り等の別部材を組み付けるもの等が存在する。
前記特許文献１に記載の唐草は、横葺屋根板の成形部等と係合する係合部と建築物の軒先に取り付けられる取付部と建築物の軒先を覆う垂下部を主構成としている。さらに詳細には、固定部は、躯体あるいは下地材にビス止めするフラット状やＬ字状、あるいは下地材に嵌める略コ字状等で構成され、垂下部は躯体の形状に沿う階段状に形成されている。
一方、前記特許文献２に記載の唐草では、水切りや幕板をビス等の固着具で固定したものが提案されている。さらに、化粧を目的として、壁から支持材を持ち出し、軒天井等を設けることも行われている。
【先行技術文献】
【特許文献】
【０００３】
【特許文献１】特開平５−１５６７６６号公報
【特許文献２】特開平７−３１７２５５号公報
【発明の概要】
【発明が解決しようとする課題】
【０００４】
しかしながら、前記特許文献１に記載の唐草は、躯体の形状に沿わせるため、外観意匠が「階段状」にならざるを得ず、意匠性に乏しいものであった。
一方、前記特許文献２に記載の唐草は、部品点数の増加が避けられず、施工に手間がかかるという問題があった。さらに壁から支持材等を持ち出すため、屋根工事とは別に行なわなければならないという問題もあった。
そして、かかる特許文献１、２に共通していえることとして、軒先における意匠性および汎用性の向上について未だ不十分であった。
【０００５】
そこで、本発明は、軒先における意匠性及び汎用性を向上し、更に施工作業を迅速に容易く行なえ、しかも軒天井等の化粧まで仕上げることが可能な建築物の軒先構造を提供することを目的とする。
【課題を解決するための手段】
【０００６】
本発明は、上記に鑑み提案されたものであり、外装構造を支持する部材を水下側へ長く延出した上部支持部材の裏面側に、少なくともその表面側又は裏面側の何れか一方に化粧材を支持する軒天支持部材を反り返るように湾曲させて取り付けると共に、該軒天支持部材の先端が、前記上部支持部材の軒先端より延出状に連結されていることを特徴とする建築物の軒先構造に関するものである。
【０００７】
また、本発明は、前記軒先構造において、軒天支持部材は、上方に傾斜状に配置され、外装構造を支持する部材を水下側へ長く延出した上部支持部材と前記軒天支持部材との先端で凹部を構成し、該凹部に非透水性材を配して排水部を形成したことを特徴とする建築物の軒先構造をも提案する。
【発明の効果】
【０００８】
本発明の建築物の軒先構造は、種々の外装構造を支持する部材を水下側へ長く延出した上部支持部材の裏面側に、少なくともその表面側又は裏面側の何れか一方に化粧材を支持する軒天支持部材を反り返るように湾曲させて取り付けると共に、該軒天支持部材の先端が、前記上部支持部材の軒先端より延出状に連結されているから、通常の一般屋根に比べて先端がシャープな先鋭な印象を受ける屋根を施工でき、特に反り返るように湾曲させて軒天支持部材に固定する化粧材にて形成される化粧面も湾曲する巨大な天井面となり、該軒先により所定領域の雨避けや日光避けの庇（ひさし）として有効利用する空間を形成することも可能である。
このように本発明では、取付施工が容易であって、意匠性に富んだ、デザイン性に優れた軒先構造とすることができ、また該軒先にて形成される空間を有効に利用することもできる。また、軒先端部に取り付けられる部品を共通化して汎用性を高めることが可能である。
【０００９】
また、軒天支持部材は、上方に傾斜状に配置され、外装構造を支持する部材を水下側へ長く延出した上部支持部材と前記軒天支持部材との先端で凹状部を構成し、該凹状部に非透水性材を配して排水部を形成した場合には、通常の一般屋根に比べて先端がシャープな先鋭な印象を受け、しかも軒先に排水部を有する機能性をも有している。
【図面の簡単な説明】
【００１０】
【図１】（ａ）本発明の第１実施例の建築物の軒先構造を示す側断面図、（ｂ）用いた軒天井材の拡大側面図、（ｃ）用いた軒先外装材の拡大側面図である。
【図２】（ａ）第２実施例の軒先構造を示す側断面図、（ｂ）用いた軒先外装材の拡大側面図である。
【図３】（ａ）第３実施例の軒先構造を示す側断面図、（ｂ）用いた軒先外装材の拡大側面図である。
【図４】（ａ）第４実施例の軒先構造を示す側断面図、（ｂ）用いた軒先化粧材の拡大側面図である。
【発明を実施するための形態】
【００１１】
本発明の建築物の軒先構造は、外装構造を支持する部材を水下側へ長く延出した上部支持部材の裏面側に、少なくともその表面側又は裏面側の何れか一方に化粧材を支持する軒天支持部材を反り返るように湾曲させて取り付けると共に、該軒天支持部材の先端が、前記上部支持部材の軒先端より延出状に連結されていることを特徴とする。
【００１２】
前記軒天支持部材は、略水平状に配置されるものでも、上方、下方に傾斜状に取り付けられるものであってもよく、後述する図示実施例のように、大きく湾曲するように取り付けられるものであってもよい。雨水の排水路を構築するためには、水平もしくは上方の傾斜状となる。
この軒天支持部材は、前述のように少なくとも表面側又は裏面側の何れか一方に化粧材を支持するものであって、この化粧材としては、例えば裏面側であれば、軒天井材でも唐草と称される係止部材でもよく、その表面側に雨樋等の排水部を形成しても裏面側から露出を抑えることができる。また、例えば化粧材を表面側に設ける場合には、雨樋等の排水部を形成することを想定して各種の非透水性材、或いは軒先外装材や軒先化粧材等を用いてもよい。
なお、これらの化粧材の軒天支持部材への支持（固定）態様については、特に限定するものではなく、各種の化粧材を係止して固定するようにしてもよい。
また、係止部材としては、端部のライン（水平）を出すために連続材が好ましい。
【００１３】
この軒天支持部材としては、軒先に向かって上り傾斜状に配置され、屋根下地とこの軒天支持部材との先端で凹状部を構成し、該凹状部に非透水性材を配して雨樋等の排水部を形成するようにしてもよく、或いは複数の板材を組み合わせたものでもよい。
この非透水性材については、雨水の貯留や流れを速やかに行うものであれば特に材質等を限定するものではなく、例えば外装材と同様な金属材であってもよいし、防水シート等であってもよい。
【００１４】
また、この軒天支持部材は、屋根下地の裏面側に単独で配してもよいが、屋根下地から水下側へ延在させるように配設した上部支持部材と併用してもよく、更にこれらの上部支持部材と軒天支持部材とを連結する連絡支持部材と併用してもよく、合計三種の支持部材をボルト等の締着部材によって一体的に組み合わせて連結した強固な軒先下地構造を形成することが好ましい。なお、この三種の支持部材を用いる場合には、何れか一種又はそれ以上の支持部材を躯体と接続することにより、この軒先下地構造の強度は一層高いものとなる。このように強度の高い軒先下地構造は、前述の雨樋等の排水部が形成される態様のように、降雨にて高い正荷重が作用することが想定される場合にも望ましい。
【００１５】
なお、上述の軒先下地構造において、前記軒天支持部材、又はそれ以外の各支持部材は、断面形状がハット型、角型、管状、Ｚ状、Ｌ状、コ字状等の慣用的に用いられている棒材又はパイプ材でもよく、全てを同一形状で形成する必要はない。例えばコ字状（或いはハット状）棒材と角型パイプ材とを、コ字状棒材の内部に角型パイプ材が内包されるように組み付けることにより、締着時の作業性が容易となり、締着後に高い取付強度を得ることができる。また、これらの支持部材は、鋼製であってもアルミ等型材であっても木材であってもよく、所要の強度が得られるものであればその材質、形状を限定するものではない。
【００１６】
前記上部支持部材は、外装構造から水下側へ延設され、その上面に前記化粧材を沿設するものであり、外装構造を支持する部材を水下側へ長く延出したものでもよい（即ち外装構造の支持部材を兼ねる）し、別途新たに設けたものであってもよい（即ち外装構造の支持部材に新たな支持部材を接続する）。後者の態様では、後述する図示実施例のように、ハット状の棒状材である外装構造の支持部材に角型パイプ材であるこの上部支持部材を内包状に組み付けて締着して接続してもよい。
【００１７】
前記連絡支持部材は、前記軒天支持部材と前記上部支持部材とを接続（連絡）するものであって、略鉛直状に配されるものであっても、傾斜状に配されるものであってもよい。この連絡支持部材は、単一部材であってもよいし、例えば長さ調整を可能とする複数部材を組み合わせて連絡支持部材としてもよい。また、この連絡支持部材は、前記上部支持部材と前記軒天支持部材との端部同士を連結するものに限定されず、何れか一方又は両方の長さの途中部分を連結するものであってもよい。そのため、この連絡支持部材は、複数設けてもよく、その場合、連結箇所が増加して一体化強度が向上する。
【００１８】
また、何れかの支持部材の少なくとも一つが躯体に取り付けられていることが好ましいが、必ずしも直接的に駆体に取り付けられるものではなく、補助部材を介して取り付けるようにしてもよい。
この補助部材としては、一端が支持部材と直接或いは別部材を介して連結され、他端が躯体（壁部）に取り付けられるものとなる。また、この補助部材は、直線状であっても湾曲状であってもよい。さらに、補助部材は、全ての支持部材に設けるものでも、一定間隔（例えば一本おき）で設けるものであってもよい。なお、このような補助部材を設ける場合には、各種の化粧材は、前記軒天支持部材又は上部支持部材に直接的に取り付けるものでも、この補助部材を介して取り付けるものであってもよい。
【００１９】
さらに、前記各支持部材を連結するための締着部材は、ボルト等が一般的であるが、特にその具体的な構成を限定するものではない。一般的にこの締着部材を用いて軒先下地構造を構成する各支持部材を取り付ける場合には、外装構造の更に水下側に構築されるものであるから、雨仕舞いの懸念は必要なく、例えば係止等により取付（一体化）に比べて高い強度で一体化することができる。
【００２０】
前記軒天支持部材の裏面側に取り付けられる化粧材としては、前述のように軒天井材や唐草と称される係止部材を用いることができる。
この軒天井材は、前記軒天支持部材の裏面を被覆する部材であり、特にその形状構成を限定するものではない。一般的に広義の軒天井材とは、軒先裏面を化粧する化粧材の全てを指すものであり、単一部材であっても、後述する図示実施例に示すように複数部材によって構成されるものでもよい。
なお、後述する図示実施例では、軒天支持部材の先端に取付補助材を固定し、該取付補助材の裏面側にも軒天井材の一部が取り付けられ、表面側の先端化粧材と重合（係合）状に連結されるものとした。
【００２１】
前記軒天支持部材の先端の表層側に取り付けられる化粧材としては、前述のように各種の非透水性材、或いは軒先外装材や軒先化粧材等が用いることができる。後述する図示実施例では、軒先外装材とは、外装面の一部（水下端）を形成する部材とし、軒先化粧材としては、外装面を形成していないが外装面の水下側に配設される部材とした。具体的にはこれらの軒先外装材、軒先化粧材としては、前記外装材と同色、同材であってもよいし、異なる色、材質であってもよい。また、異なる材質としては、金属製基材の表面に防水シート等を貼着したものであってもよいし、ポリカーボネイト等の硬質合成樹脂等であってもよい。
なお、後述する図示実施例では、前述のように軒天支持部材の先端に取付補助材を固定し、該取付補助材の表面側を覆う化粧材として先端化粧材を配し、前記軒先外装材又は軒先化粧材と重合（係合）状に連結されるものとした。
【００２２】
本発明における前記屋根下地が支持する外装構造としては、縦葺き、横葺き、瓦等いかなるものであってもよく、それを取り付ける屋根下地や該屋根下地へ取り付けるための部材や構造についても何等限定するものではない。
また、外装材を例えば前記屋根下地や該屋根下地へ取り付けるための構造等としては、木材製の躯体、鉄骨製の躯体、コンクリート製の躯体などの各種材料で構築される躯体、躯体上に配された垂木等の支持部材又は野地材等の下地材等でもよい。
【実施例】
【００２３】
図１に示す本発明の建築物の軒先構造の第１実施例は、横葺き外装材である外装材９Ａと、図示しないがこの外装材９Ａを保持する保持部材（吊子）と、前記外装材９Ａの裏面側に添装されたバックアップ材９ｂとにより構成される横葺き外装構造９を支持する屋根下地（駆体６や支持部材１Ｂ等）の裏面側に、少なくともその表面側又は裏面側の何れか一方に化粧材（軒天井材２や軒先外装材３等）を支持する軒天支持部材１Ａを取り付けると共に、該軒天支持部材１Ａの先端が、前記屋根下地（駆体６や支持部材）１Ｂ等）の軒先端より延出状に取り付けられている。
【００２４】
また、前記横葺き外装構造９の屋根下地は、詳細については図示しないが、鋼材等にて形成される縦母屋の上端に屋根裏面側へ延在する横母屋、及び軒先側へ延在する軒先母屋が一体的に固定され、前記横母屋及び軒先母屋には躯体６ａが桁行き方向に延在するように固定され、該躯体６ａ上には流れ方向に連続する長尺材である支持部材（上部支持部材１Ｂ）が配設されている。そして、前記縦母屋の外側には、鋼材が取り付けられ、前記軒先母屋の裏面側に、前記縦母屋の外側から大きく湾曲するように軒天支持部材１Ａが配設され、この軒天支持部材１Ａの裏面側（下面側）には軒天井材２等が吊設状に配設され、表面側（上面側）には軒先外装材３等が配設されている。
【００２５】
この第１実施例の軒先下地構造は、前記軒天支持部材１Ａのみばかりでなく、屋根下地の支持部材を兼ねる上部支持部材１Ｂと、それらを連結する連絡支持部材１Ｃとを一体的に連結してなる構成である。
前記軒天支持部材１Ａは、前記横葺き外装構造９や屋根下地（駆体６や支持部材１Ｂ等）の裏面側に配設され、大きく反り返るように湾曲している部材であり、例えば断面略ハット状の長尺材を曲げ加工して形成することができる。また、この軒天支持部材１Ａの先端には、取付補助材１ｆが取り付けられている。さらに、この軒天支持部材１Ａの裏面側には化粧材として軒天井材２が、表面側には化粧材として軒先外装材３が取り付けられている。
また、前記上部支持部材１Ｂは、前述のように複数の横葺き外装材９Ａより形成される横葺き外装構造９の支持部材をも兼ねる構成であり、流れ方向に連続する断面略ハット状の長尺材である。
さらに、連絡支持部材１Ｃは、前記支持部材（１Ａ，１Ｂ）を連結する板状材であり、これら合計３つの支持部材１Ａ，１Ｂ，１Ｃを合計３つの締着部材１ｄにて一体的に連結（接続）している。
なお、前記上部支持部材１Ｂは、躯体６ａ等に裏面を支持される状態で一体的に固定され、前記連絡支持部材１Ｃも躯体６ａに一体的に固定されているため、これらの支持部材１Ａ，１Ｂ，１Ｃからなる軒先下地構造は、駆体６ａに一体的に取り付けられた強固な構造である。
【００２６】
前記軒天井材２は、前述のように前記軒天支持部材１Ａの裏面を被覆する化粧材であって、前記軒天支持部材１Ａの裏面側に固定されている。
この第１実施例の軒天井材２は、連続的に７枚隣接させて配設される第１部材２ａと、前記取付補助材１ｆへの取付部を有する第２部材２ｂ（図中２ｃは取付ビス）と、前記取付補助材１ｆ自体を裏面側から隠す第３部材２ｄ（図中２ｅは取付ビス）とからなる。
なお、第１部材２ａは、図１（ｂ）に拡大して示すように、面板部２１の一方の側端に下面側が開放する略溝状の収容部２２１と、他方の側端に設けた成形部２３を側方から挿入状に係合可能な係合溝２２２と，前記収容部２２１の端縁を外方へ沿在させた２２３とを有する成形部２２を有する構成であり、ボルト等の固定具２ｆにて左右方向に隣り合う第１部材３ａ，３ａ同士を接続可能である。なお、前記収容部２２１には前記固定具２ｆの頭部が収容され、該頭部を含めて収容部２２１の開放部分は、前記係合溝２２２に他方の側端成形部２３を係合したことで覆われ、裏面側から見上げても露出することがない。
【００２７】
前記軒先外装材３は、前述のように前記軒天支持部材１Ａの表面を被覆する化粧材であって、前記軒天支持部材１Ａの表面側に固定されている。
この第１実施例における軒先外装材３は、軒先部分については前述のように軒天支持部材１Ａの表面側に取り付けられているが、その水上側については前記上部支持部材１Ｂの上面に取り付けられている。
なお、この軒先外装材３は、図１（ｃ）に拡大して示すように、面板部が水上側から順に下り傾斜部分３１ａ、上り傾斜部分３１ｂ、略平坦状部分３１ｃの３つの異なる勾配を有するものである。また、その軒先端には起立部３３が設けられているため、図中ハッチングで示す排水部Ｗを形成でき、降雨の際に雨樋の役割を果たす箇所を容易に形成することができる。また、この軒先外装材３の水上端３２には折り上げ係合部が形成され、その水下端に形成された起立部３３には上端に水返し部が形成されている。
【００２８】
なお、前記軒天支持部材１Ａの軒先端には、取付補助材１ｆが嵌合状に取り付けられ、該取付補助材１ｆには水上側にＬ字状に折り上げられた縦片が、水下側には折り下げられた縦片が設けられている。これらの縦片のうち、水上側の縦片には、前記軒先外装材３の軒先端（水下端）に設けられた起立部３３が沿い、それを先端化粧材４に設けた第１覆い部４１が重合状に覆って固定され（図中４２は取付ビス）ている。また、水下側の縦片には、先端化粧材４に設けた第２覆い部４２が係合状に覆って前記第３部材２ｄと共に被覆状に固定される。
【００２９】
このような部材により構築されている本発明の建築物の軒先構造は、種々の外装構造を支持する屋根下地の裏面側に、少なくともその表面側又は裏面側の何れか一方に化粧材を支持する軒天支持部材を取り付けると共に、該軒天支持部材の先端が、前記屋根下地の軒先端より延出状に取り付けられているから、通常の一般屋根に比べて先端がシャープな先鋭な印象を受ける屋根を施工し易く、該軒先により所定領域の雨避けや日光避けの庇（ひさし）として有効利用する空間を形成することも可能である。
【００３０】
また、この第１実施例における軒先構造では、軒天支持部材１Ａは、軒先に突出する部分が上方に傾斜状に配置されるものであって、屋根下地（駆体６や支持部材１Ｂ等）と軒天支持部材１Ａとの先端で凹部を構成し、該凹部に非透水性材（軒先外装材３）を配して排水部（排水部Ｗ）を形成した構成である。そのため、この屋根は、通常の一般屋根に比べて先端がシャープな先鋭な印象を受け、しかも軒先に排水部Ｗを有する機能性をも有している。
【００３１】
図２（ａ）に示す第２実施例の軒先構造では、軒天支持部材１Ａも、それに上部支持部材１Ｂと、連絡支持部材１Ｃとからなる軒先下地構造も前記第１実施例とほぼ同様であるから、図面に同一符号を付して説明を省略する。
また、軒天井材２'についても、前記第１部材２ａを隣接させて配設し、固定具２ｆで取り付ける構成については全く同様であるが、軒天支持部材１Ａの先端に取り付ける取付補助材１ｆ'の形状が異なるため、該取付補助材１ｆ'への取付部を有する第２部材２ｇ（図中２ｈは取付ビス）と、前記取付補助材１ｆ自体を裏面側から隠す第３部材２ｊの形状が相違する。
【００３２】
この第２実施例における軒先構造では、前述のように軒天支持部材１を含む軒先下地構造も外装構造９もほとんど同様である。
また、この第２実施例でも前記上部支持部材１Ｂの軒端に取付補助材１ｆ'を取り付ける構成は同様であり、該取付補助材１ｆ'に設けた縦片に、前記軒天井材２や前記軒先外装材３等の化粧材を一体的に固定する。
【００３３】
この第２実施例における軒先外装材３'についても、上り傾斜部分３１ｂ'、略平坦状部分３１ｃ'の長さ寸法が僅かに異なるが、起立部３３が設けられずに折り返し部３４が形成されている以外は同様である。
そのため、この第２実施例では、比較すると前記第１実施例よりも貯留容量が小さく、浅い排水溝Ｗ'が形成される。
【００３４】
なお、前記取付補助材１ｆ'には水下側に折り下げられた縦片が設けられている。この水上側の縦片には、先端化粧材４'に設けた覆い部４３が係合状に覆って前記第３部材２ｊと共に被覆状に固定される。なお、先端化粧材４'の水上側に設けた係合部４４は、前記軒先外装材３'の折り返し部３４と係合されている。
【００３５】
図３に示す第３実施例，及び図４に示す第４実施例は、前記第１，第２実施例と略同様の外装構造（横葺き外装構造９）の裏面側に、異なる軒先下地構造が構築され、形状が異なる軒先端を形成している例である。
【００３６】
図３（ａ）に示す第３実施例では、軒天支持部材１Ａ"が略水平状に配されている点は前記第１，第２実施例とは相違するが、その裏面側に軒天井材２"を、その表面側に軒先外装材３"を取り付ける概略構成は共通である。
また、上部支持部材１Ｂ"は、前記第１，第２実施例と同様に外装構造の支持部材を兼ねる構成であり、連絡支持部材１Ｃ"としては、短尺材１Ｃｓ"と長尺材１Ｃｌ"の２種類を用いた。
【００３７】
この第３実施例における軒天支持部材１Ａ"は、横葺き外装構造９や屋根下地（駆体６ｂや支持部材１Ｂ"等）の裏面側に配設され、前述のように略水平状に配設されている部材であり、例えば断面略ハット状の長尺材を用いることができる。また、この軒天支持部材１Ａ"の先端には、取付補助材１ｆ"が取り付けられ、上端が先鋭な略山状の先端化粧材４"が配設されている。
【００３８】
また、前記上部支持部材１Ｂ"は、前述のように複数の横葺き外装材９Ａより形成される横葺き外装構造９の支持部材をも兼ね、流れ方向に連続する断面略ハット状の長尺材である。
さらに、連絡支持部材１Ｃ"（１Ｃｓ"，１Ｃｌ"）は、前記支持部材（１Ａ"，１Ｂ"）を連結する板状材であり、２箇所に設けられているので、三種の支持部材１Ａ"〜１Ｃ"は合計５つの締着部材１ｄにて一体的に連結（接続）されている。
なお、前記上部支持部材１Ｂ"は、躯体６ｂ等に裏面を支持される状態で一体的に固定され、前記連絡支持部材１Ｃ"も躯体６ｂに一体的に固定されているため、これらの支持部材１Ａ"〜１Ｃ"からなる軒先下地構造は、駆体６ｂに一体的に取り付けられた強固な構造である。
【００３９】
前記軒天井材２"は、前述のように前記軒天支持部材１Ａ"の裏面を被覆する化粧材であって、前記軒天支持部材１Ａ"の裏面側に固定されている。
この第３実施例の軒天井材２"は、連続的に隣接させて配設される複数の第１部材２ａ"と、前記取付補助材１ｆ"へ取り付けられ、またこの取付補助材１ｆ"自体を裏面側から隠す第２部材２ｂ"からなる。
なお、第１部材２ａ"は、前記第１実施例において説明した第１部材２ａと基本的な形状及びその取付構造は同様である。
【００４０】
前記軒先外装材３"は、最も水下側に位置する外装材９ＡＺの水下側に位置し、外装面の一部を形成すると共に、前述のように前記軒天支持部材１Ａ"の軒先部分を被覆する化粧材であって、前記上部支持部材１Ｂ"及び前記軒天支持部材１Ａ"の表面側に固定されている。
この軒先外装材３"は、図３（ｂ）に拡大して示すように、面板部が水上側から順に下り傾斜部分３１ｄ、略平坦状部分３１ｅの異なる勾配を有するものである。また、その軒先端には起立部３５が設けられているため、この起立部３５を側壁とする排水部が形成され、降雨の際に雨樋の役割を果たす箇所を容易に形成することができる。
【００４１】
なお、前記取付補助材１ｆ"には水上側に折り上げられた縦片が、水下側には軒先へ延在する横片が設けられている。この水上側の縦片には、前記軒先外装材３"の起立部３５が沿い、それを先端化粧材４"に設けた第１覆い部４５が重合状に覆って固定され、水下側の横片には、先端化粧材４"に設けた第２覆い部４６が係合状に覆って前記第２部材２ｂ"と共に被覆状に固定されている。
【００４２】
図４（ａ）に示す第４実施例では、軒天支持部材１Ａ"が略水平状に配され、その裏面側に軒天井材２"を取り付ける構成は、前記第３実施例と全く同様であり、連絡支持部材１Ｃ"についても、短尺材１Ｃｓ"と長尺材１Ｃｌ"の２種類を用いる構成は全く同様であるから、同一符号を付して説明を省略する。
この第４実施例では、前記第３実施例とは異なり、外装構造９の水下側に延在する上部支持部材は用いられておらず、軒先外装材も用いていない。
即ち横葺き外装構造９の支持部材８は、流れ方向に連続する断面略ハット状の長尺材（定尺材）であるが、最も水下側に位置する外装材９ＡＺの裏面側までの長さに形成されている。
【００４３】
前述のように本発明では軒先外装材とは外装面の一部（水下端）を形成する部材と定義したので、この第４実施例には軒先外装材は用いられておらず、外装面を形成していないが外装面の水下側に配設される部材として軒先化粧材５を用い、前記軒天支持部材１Ａ"の表面側に載置状に取り付けられている。
この軒先化粧材５は、図４（ｂ）に拡大して示すように、略水平状に配設される面板部５１と、その左右の側端を略垂直状に立ち上げた側面部５２，５３とを有する略Ｕ字状の成形体である。そして、前記面板部５１の裏面が、前記軒天支持部材１Ａ"の表面に接地するように配され、水上側の側面部５２の上端に設けられた係合水返し片５２１が、最も水下側に位置する外装材９ＡＺの軒側成形部と係合し、水下側の側面部５３が、前記取付補助材１ｆ"の水上側に設けられた縦片に沿い、先端化粧材４"に設けられた第１覆い部４５にて重合状に覆われて固定されている。
【００４４】
なお、前述のようにこの第４実施例では、上部支持部材を用いていないものの、軒天支持部材１Ａ"と支持部材８と連結支持部材１Ｃ"（短尺材１Ｃｓ"，長尺材１Ｃｌ"）とを、前述の第１〜第３実施例とほぼ同様に一体的に連結させているので、強度の高い軒先下地構造が形成される点は同様である。
【００４５】
このような構成を有する第４実施例の軒先構造では、前記軒先化粧材５の面板部５１が底面、側面部５２，５３が両側面（側壁）とする排水部が形成されるため、降雨の際に雨樋の役割を果たす箇所を容易に形成することができる。
【符号の説明】
【００４６】
１Ａ，１Ａ'，１Ａ"  軒天支持部材
１Ｂ，１Ｂ'，１Ｂ"  下部支持部材
１Ｃ，１Ｃ'，１Ｃ"（１Ｃｓ"，１Ｃｌ"）  連絡支持部材
１ｄ  締着部材
１ｆ，１ｆ'，１ｆ"  取付補助材
２，２"  軒天井材
３，３'，３"  軒先外装材
４  先端化粧材
５  軒先化粧材
８  支持部材
９  （横葺き）外装構造
９Ａ  外装材
９ＡＺ  最も水下側に位置する外装材
【図１】
0006546722.tif 000002
【図２】
0006546722.tif 000003
【図３】
0006546722.tif 000004
【図４】
0006546722.tif 000005